(57)【要約】【課題】  ユーザが撮像した動画を特定時表示画像として興趣性を高め得るように表示させる。【解決手段】  再生時（「電源ＯＮ時」「着信時」「アラーム時」）を選択させ（Ｓ２０２）、予め記憶されている動画ファイルのいずれかを選択させ（Ｓ２０５；ＹＥＳ）、選択されたファイル名の動画ファイルの再生を開始して動画を表示させる（Ｓ２０７）。しかる後に、「１」キーが操作されたか否かを判断し（Ｓ２０７）、操作された時点で表示されていたフレームをスタートフレームとし（Ｓ２０９）、「２」キーが操作された時点で表示されていたフレームをエンドフレームとする（Ｓ２１１）。したがって、再生時「電源ＯＮ時」「着信時」「アラーム時」毎に動画ファイル名と、その部分動画のスタートフレーム及びエンドフレームが決定される。そして、各再生時において、スタートフレームからエンドフレームまでの部分動画を表示させる。【選択図】      図６
2005244673.tif 000002
【特許請求の範囲】
【請求項１】
動画を撮像する撮像手段と、
この撮像手段により撮像された動画を記録する動画記録手段と、
前記動画を表示可能な表示手段と、
前記記録手段に記録された動画における所望の部分からなる部分動画を予め指定する指定手段と、
当該機器の特定動作時に、前記部分動画を再生し前記表示手段に表示させる制御手段と
を備えることを特徴とする撮像機器。
【請求項２】
前記指定手段は、前記動画における所望の部分の開始点と終了点との少なくとも一方を指定することを特徴とする請求項１記載の撮像機器。
【請求項３】
前記動画記録手段に記録されている複数の動画の中から任意の動画を選択する選択手段を備え、
前記指定手段は、前記選択手段により選択された動画における所望の部分からなる部分動画を予め指定することを特徴とする請求項１又は２記載の撮像機器。
【請求項４】
前記指定手段は、前記動画における所望の部分の開始点と終了点とを指定し、
この指定手段により指定された前記動画における前記開始点と終了点を示す情報を記憶する情報記憶手段を更に備え、
前記制御手段は、前記情報記憶手段に記憶された前記情報に基づき、前記動画記録手段に記録された動画の前記部分動画を読み出して再生表示させることを特徴とする請求項１記載の撮像機器。
【請求項５】
前記制御手段により再生表示される部分画像を含む動画に対し、前記動画記録手段からの削除を禁止するプロテクト処理を実行するプロテクト処理処理手段を備えたことを特徴とする請求項４記載の撮像機器。
【請求項６】
前記動画記録手段に記録されている動画が、前記制御手段により再生表示される部分画像を含む動画であるか否かを判別する判別手段と、
この判別手段により前記動画が前記部分動画を含む動画であると判別された場合、前記記録手段に記録されている動画を再生する際に、その旨を報知する報知手段と
を備えたことを特徴とする請求項４記載の撮像機器。
【請求項７】
前記判別手段により前記動画が前記部分動画を含むものであると判別された場合、当該動画の削除を禁止する削除禁止手段を更に備えたことを特徴とする請求項６記載の撮像機器。
【請求項８】
前記指定手段は、前記動画における所望の部分の開始点と終了点とを指定し、
この指定手段により指定された前記動画における前記開始点から終了点までの部分からなる部分動画を作成する作成手段と、
この作成手段により作成された前記部分動画を記憶する部分動画記憶手段とを備え、  前記制御手段は、前記部分動画記憶手段に記憶された部分動画を再生表示させることを特徴とする請求項１記載の撮像機器。
【請求項９】
前記当該機器の特定動作時は、当該機器の電源投入時、着信時、又はアラーム時であることを特徴とする請求項１から８にいずれか記載の撮像機器。
【請求項１０】
動画を撮像する撮像手段と、この撮像手段により撮像された動画を記録する動画記録手段と、前記動画を表示可能な表示手段とを備える撮像機器における動画表示制御方法であって、
前記動画記録手段に記録された動画における所望の部分からなる部分動画を予め指定する指定工程と、
当該機器の特定動作時に、前記部分動画を再生し前記表示手段に表示させる制御工程と
を含むことを特徴とする動画表示制御方法。
【請求項１１】
動画を撮像する撮像手段と、この撮像手段により撮像された動画を記録する動画記録手段と、前記動画を表示可能な表示手段とを備える撮像機器が有するコンピュータを、
前記動画記録手段に記録された動画における所望の部分からなる部分動画を予め指定する指定手段と、
当該機器の特定動作時に、前記部分動画を再生し前記表示手段に表示させる制御手段と
して機能させることを特徴とする動画表示制御プログラム。
【発明の詳細な説明】
【技術分野】
【０００１】
本発明は、動画を撮像して記録する機能を備えた撮像機器、この撮像機器に用いる動画表示制御方法及び動画表示制御プログラムに関する。
【背景技術】
【０００２】
従来、撮像した所望の画像をオープニング画像等の特定時表示画像として表示するカメラ装置が提案されるに至っている。このカメラ装置は、ユーザがカメラを起動すると、ユーザ登録のオープニング画像を画像記録用メモリから取り出して再生し、表示部にて一定時間表示する。したがって、ユーザが当該カメラ装置で予め撮影して記録した所望の画像をオープニング画像として表示させることができる（例えば、特許文献１参照。）。
【特許文献１】特開２０００−５０１１６号公報
【発明の開示】
【発明が解決しようとする課題】
【０００３】
しかしながら、前記カメラ装置にあっては、ユーザが撮像した所望の画像をオープニング画像として表示できるとはいえども、表示される画像は静止画であり、ユーザの興趣性を充分に満足させ得るものではない。そこで、ユーザが撮像した所望の動画をオープニング画像として表示させることによって、より興趣性を高めることが考えられる。
【０００４】
しかし、動画の場合、時間的な長さがありその全長で構成される動画には種々シーンが含まれ得ることから、動画全体が当該ユーザにとって好ましいものであるとは限らない。また、ユーザが撮像した動画の場合、その時間長は各動画毎に異なる。
【０００５】
このため、単にユーザが撮像した動画をそのままオープニング画像等の特定時表示画像とすると、当該ユーザにとって好ましくないシーンを含む動画がオープニング画像となったり、オープニング画像としては冗長な動画が表示されることとなり、却って興趣性を低下させてしまう。
【０００６】
本発明は、かかる従来の課題に鑑みてなされたものであり、ユーザが撮像した動画を特定時表示画像として興趣性を高め得るように表示させることのできる撮像機器、動画表示制御方法及び動画表示制御プログラムを提供することを目的とする。
【課題を解決するための手段】
【０００７】
前記課題を解決するために請求項１記載の発明に係る撮像機器にあっては、動画を撮像する撮像手段と、この撮像手段により撮像された動画を記録する動画記録手段と、前記動画を表示可能な表示手段と、前記記録手段に記録された動画における所望の部分からなる部分動画を予め指定する指定手段と、当該機器の特定動作時に、前記部分動画を再生し前記表示手段に表示させる制御手段とを備える。
【０００８】
すなわち、動画記録手段に記録されている動画は、静止画とは異なり時間的な長さがありその全長で構成される動画には種々シーンが含まれ得る。また、動画記録手段に記録されている動画は、ユーザが当該撮像機器で撮像したものであることから、記録された複数の動画は時間的な長さ個々に異なる。したがって、この動画をそのまま、当該機器の特定動作時に表示させると、当該ユーザにとって好ましくないシーンが含まれていたり、特定動作時に表示させる動画としては冗長となって、興趣性を低下させてしまう。
【０００９】
しかるに、本発明に係る撮像機器においては、記録された動画における所望の部分からなる部分動画を予め指定することができ、この指定された部分画像を当該機器の特定動作時に表示させる。このため、当該ユーザにとって好ましくないシーンを排除して、好ましいシーンのみをしかも適切な時間長をもって、特定動作時に表示することができる。その結果、ユーザが撮像した動画を特定時表示画像として興趣性を高め得るように表示させることが可能となる。
【００１０】
また、請求項２記載の発明に係る撮像機器にあっては、前記指定手段は、前記動画における所望の部分の開始点と終了点との少なくとも一方を指定する。開始点のみを指定した場合には、当該機器の特定動作時に、所望の開始点から当該動画の最後までの部分動画を再生され、終点のみを指定した場合には、当該動画の最初から所望の終点までの部分動画を再生される。この場合であっても、予め撮像記録された動画の最初から指定された終了点まで、あるいは指定された開始点から撮像記録された動画の最後までの所望の部分及び時間長からなる部分動画の再生が可能となる。無論、開始点と終了点の双方が指定された場合には、より確実に所望のシーン及び時間長からなる部分動画の再生が可能となる。
【００１１】
また、請求項３記載の発明に係る撮像機器にあっては、前記動画記録手段に記録されている複数の動画の中から任意の動画を選択する選択手段を備え、前記指定手段は、前記選択手段により選択された動画における所望の部分からなる部分動画を予め指定する。したがって、ユーザが所望する動画であって、当該ユーザにとって好ましいシーンのみをしかも適切な時間長をもって、特定動作時に表示することができ、一層興趣性が高められる。  また、請求項４記載の発明に係る撮像機器にあっては、前記指定手段は、前記動画における所望の部分の開始点と終了点とを指定し、この指定手段により指定された前記動画における前記開始点と終了点を示す情報を記憶する情報記憶手段を更に備え、前記制御手段は、前記情報記憶手段に記憶された前記情報に基づき、前記動画記録手段に記録された動画の前記部分動画を読み出して再生表示させる。よって、別途、部分画像ファイル等を作成する必要なく、所望のシーン及び時間長からなる部分動画の再生が可能となる。
【００１２】
また、請求項５記載の発明に係る撮像機器にあっては、前記制御手段により再生表示される部分画像を含む動画に対し、前記動画記録手段からの削除を禁止するプロテクト処理を実行するプロテクト処理処理手段を備える。したがって、動画記録手段に記録されている動画を整理すべく、動画記録手段に記録されている画像の削除を行った際、それが当該機器の特定動作時に再生表示される部分動画を含む動画であると、当該当該には予めプロテクト処理がなされていることから、その削除は禁止される。
【００１３】
また、請求項６記載の発明に係る撮像機器にあっては、前記動画記録手段に記録されている動画が、前記制御手段により再生表示される部分画像を含む動画であるか否かを判別する判別手段と、この判別手段により前記動画が前記部分動画を含む動画であると判別された場合、前記記録手段に記録されている動画を再生する際に、その旨を報知する報知手段とを備える。
【００１４】
したがって、ユーザは、報知手段による報知によって、当該動画は特定動作時に再生表示される部分動画を含む動画であって、これを削除すると、特定動作時に部分動画を表示させることが不可能となることを認識することができる。よって、ユーザに対し当該画像の動画記録手段からの削除を思いとどまらせることができ、その結果、特定動作時に再生表示される部分動画を含む動画の誤削除を防止して、部分動画の表示を確実に行うことができる。
【００１５】
また、請求項７記載の発明に係る撮像機器にあっては、前記判別手段により前記動画が前記部分動画を含むものであると判別された場合、当該動画の削除を禁止する削除禁止手段を更に備える。したがって、当該動画の動画記録手段からの削除が確実に防止され、特定動作時に再生表示される部分動画による興趣性の発現がより確実に担保される。
【００１６】
また、請求項８記載の発明に係る撮像機器にあっては、前記指定手段は、前記動画における所望の部分の開始点と終了点とを指定し、この指定手段により指定された前記動画における前記開始点から終了点までの部分からなる部分動画を作成する作成手段と、この作成手段により作成された前記部分動画を記憶する部分動画記憶手段とを備え、前記制御手段は、前記部分動画記憶手段に記憶された部分動画を再生表示させる。
【００１７】
したがって、特定動作時には、部分動画記憶手段に記憶されている部分動画が再生表示される。よって、動画記録手段に記録されている動画を整理した際に、特定動作時に再生表示される部分動画を含む動画を削除しても、これにより左右されることなく、部分動画の表示を確実に行うことができる。
【００１８】
また、請求項９記載の発明に係る撮像機器にあっては、前記当該機器の特定動作時は、当該機器の電源投入時、着信時、又はアラーム時である。したがって、当該ユーザにとって好ましくないシーンを排除して、好ましいシーンのみをしかも適切な時間長をもって、電源投入時、着信時、又はアラーム時に表示させることができる。
【００１９】
また、請求項１０記載の発明にあっては、動画を撮像する撮像手段と、この撮像手段により撮像された動画を記録する動画記録手段と、前記動画を表示可能な表示手段とを備える撮像機器における動画表示制御方法であって、前記記録手段に記録された動画における所望の部分からなる部分動画を予め指定する指定工程と、当該機器の特定動作時に、前記部分動画を再生し前記表示手段に表示させる制御工程とを含む。したがって、記載した工程に従って処理を実行することにより、請求項１記載の発明と同様の作用効果を奏する。
【００２０】
また、請求項１１記載の発明に係る画像誤削除防止プログラムにあっては、動画を撮像する撮像手段と、この撮像手段により撮像された動画を記録する動画記録手段と、前記動画を表示可能な表示手段とを備える撮像機器が有するコンピュータを、前記動画記録手段に記録された動画における所望の部分からなる部分動画を予め指定する指定手段と、当該機器の特定動作時に、前記部分動画を再生し前記表示手段に表示させる制御手段として機能させる。したがって、前記コンピュータがこのプログラムに従って処理を実行することにより、請求項１記載の発明と同様の作用効果を奏する。
【発明の効果】
【００２１】
以上のように請求項１、１０、１１に係る発明によれば、ユーザが撮像して記録された動画における所望の部分からなる部分動画を予め指定することができ、この指定された部分画像を当該機器の特定動作時に表示させる。このため、当該ユーザにとって好ましくないシーンを排除して、好ましいシーンのみをしかも適切な時間長をもって、特定動作時に表示することができる。その結果、ユーザが撮像した動画を特定時表示画像として興趣性を高め得るように表示させることが可能となる。
【００２２】
さらに、請求項３に係る発明によれば、ユーザが所望する動画であって、当該ユーザにとって好ましいシーンのみをしかも適切な時間長をもって、特定動作時に表示することができ、一層興趣性を高めることができる。
【００２３】
また、請求項４に係る発明によれば、別途、部分画像ファイル等を作成する必要なく、所望のシーン及び時間長からなる部分動画の再生が可能となる。
【００２４】
また、請求項５に係る発明によれば、動画記録手段に記録されている動画を整理すべく、動画記録手段に記録されている画像の削除を行った際、それが当該機器の特定動作時に再生表示される部分動画を含む動画の削除を未然に防止することができる。
【００２５】
また、請求項６に係る発明によれば、ユーザに対し当該画像の動画記録手段からの削除を思いとどまらせることができ、その結果、特定動作時に再生表示される部分動画を含む動画の誤削除を防止して、部分動画の表示を確実に行うことができる。
【００２６】
また、請求項７に係る発明によれば、当該動画の動画記録手段からの削除が確実に防止され、特定動作時に再生表示される部分動画による興趣性の発現がより確実に担保することができる。
【００２７】
また、請求項８に係る発明によれば、動画記録手段に記録されている動画を整理した際に、特定動作時に再生表示される部分動画を含む動画を削除しても、これにより左右されることなく、部分動画の表示を確実に行うことができる。
【発明を実施するための最良の形態】
【００２８】
以下、本発明の実施の形態を図にしたがって説明する。
【００２９】
（第１の実施の形態）
図１は、本実施の形態に係る携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。表示部１０２は、カラー液晶であり、蓋部の前面略中央部に配置されている。
【００３０】
本体部の前面には、カメラキー１０４、メールキー１０５、十字キー１０７、決定キー１０６、電源キー１０８、アドレスキー１０９、クリアキー１１０、オンフックキー１１１とオフフックキー１１２、テンキー１１３が設けられている。カメラキー１０４は、動画撮影モードへの移行時に操作され、メールキー１０５はメールモード移行時及びメールプログラムロード時に操作される。決定キー１０６は、動画撮影時には撮影開始させる撮影開始キーとして機能し、且つ動画撮影を終了させる撮影終了キーとして機能するとともに、各種モードの決定時に操作される。十字キー１０７は、カーソル及びフォーカス移動時に操作される。電源キー１０８は、この携帯電話１の電源をオン又はオフする際に操作され、アドレスキー１０９は、アドレス帳データを表示する際に操作される。クリアキー１１０は、キャンセル指示用のキー及び記録された動画ファイルの消去用キーであり、テンキー１１３は、文字入力及びダイアル入力用として使用される。
マイク１１４は、本体部の下部に設けられており、通話時において音声入力を行う。
【００３１】
また、蓋部の背面には、着信の際、発光する報知用ＬＥＤ１１７、撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００３２】
図２は、携帯電話１の電気的構成の概略を示すブロック図である。携帯電話１は、前記撮像レンズ１１８の光軸後方に配置された撮像素子であるＣＣＤ１１を備えている。ＣＣＤ１１は、タイミング発生器（ＴＧ）１２、垂直ドライバ１３によって走査駆動され、一定周期で１画面分の撮像信号を出力する。
【００３３】
ＣＣＤ１１の出力信号は、アナログ信号の状態でＲＧＢの原色成分毎に適宜ゲイン調整された後に、サンプルホールド回路（Ｓ／Ｈ）１４でサンプルホールドされ、Ａ／Ｄ変換器１５でデジタルデータに変換されカラープロセス回路１６に送られる。カラープロセス回路１６は画像補間処理を含むカラープロセス処理により、デジタル値の輝度信号Ｙ及び色差信号Ｃｂ，Ｃｒを生成し、ＤＭＡ（Ｄｉｒｅｃｔ  Ｍｅｍｏｒｙ Ａｃｃｅｓｓ）コントローラ１７に出力する。
【００３４】
ＤＭＡコントローラ１７は輝度信号Ｙ及び色差信号Ｃｂ，Ｃｒを、カラープロセス回路１６からの複合同期信号、メモリ書込みイネーブル信号、及びクロック信号を用いて一度ＤＭＡコントローラ１７内部のバッファに書込み、ＤＲＡＭインタフェース（Ｉ／Ｆ）１８を介してＤＲＡＭ１９にＤＭＡ転送する。制御部２０は、前記輝度及び色差信号データ、つまり画像データのＤＲＡＭ１９へのＤＭＡ転送終了後に、その画像データを、ＤＲＡＭインタフェース１８を介してＤＲＡＭ１９から読み出し、ＶＲＡＭコントローラ２１を介してＶＲＡＭ２２に書き込む。
【００３５】
デジタルビデオエンコーダ２３は、前記画像データを、ＶＲＡＭコントローラ２１を介してＶＲＡＭ２２より定期的に読出し、これらのデータを元にビデオ信号を発生して、前記表示部１０２に出力する。表示部１０２は、本発明における画像表示手段であって、液晶パネルとその駆動回路等により構成され、デジタルビデオエンコーダ２３からのビデオ信号に基づいた表示を行うことで、その時点でＶＲＡＭコントローラ２１から取り込まれている画像情報に基づくスルー画像を表示部１０２に表示する。
【００３６】
キー入力部２５は、前記カメラキー１０４〜テンキー１１３等の各キーを含み、スルー画像が表示されている状態で決定キー１０６が操作されると、動画撮影開始用のトリガ信号を発生し、動画撮影中に決定キー１０６が操作されると、動画撮影終了用のトリガ信号を発生する。動画撮影時には、前記トリガ信号に応じて制御部２０がＣＣＤ１１からのＤＲＡＭ１９への経路を停止し、ＤＲＡＭ１９に書込まれている画像データを１フレーム分ずつ連続的にＤＲＡＭインタフェース１８を介して読み出し、ＪＰＥＧ回路２６に送る。ＪＰＥＧ回路２６では送られた画像データを連続して圧縮符号化し、圧縮された画像データは制御部２０によって読み出され、動画ファイルとして不揮発性メモリであるフラッシュメモリ２７に設けられている動画メモリ２７０に記録される。
【００３７】
動画メモリ２７０に記録された動画ファイルは、再生モードにおいて、前記十字キー１０７等による選択操作に応じてＪＰＥＧ回路２６に読み込まれ、そこで画像データに復号された後、ＶＲＡＭコントローラ２１を介してＶＲＡＭ２２へ送られ、表示部１０２で表示される。無線部３３は、アンテナ１０３に接続されており、ＰＳＫ方式に基づく変復調と、ＣＤＭＡ方式に基づく端末認証処理を含む通信処理を行う。音声処理回路２８は、制御部２０で処理される音声信号の入出力を行うものであって、スピーカ１０１、報知用スピーカ１２０、マイク１１４が接続されている。表示系ドライバ３１は、前記報知用ＬＥＤ１１７、及びフラッシュ用ＬＥＤ１１９を駆動するものである。
【００３８】
また、制御部２０は、当該機器を制御するとともにＷＷＷ接続制御を行うものであって、主としてＣＰＵ及びその周辺回路と、ＣＰＵの作業用メモリであるＲＡＭ、及びカレンダ機能を有する内蔵時計から構成されるマイクロコンピュータであり、フラッシュメモリ２７に確保されているプログラム領域に格納されているプログラムに基づき動作し、前述した各部の動作を制御する。
【００３９】
図３は、フラッシュメモリ２７に設けられている動画メモリ２７０の詳細を示す概念図である。この動画メモリ２７０には、レコード番号２７１毎に、動画ファイル名を各々格納する動画ファイル名領域２７２、当該動画ファイルを格納する動画ファイル領域２７３が設けられている。
【００４０】
図４は、第１の実施の形態における部分動画データメモリ２４の詳細を示す概念図である。この部分動画データメモリ２４には、当該部分動画を再生する時点を記憶する再生時領域２４１、再生する動画ファイルのファイル名を記憶する動画ファイル名領域２４２、及び再生する動画ファイルの部分を示すデータを記憶する部分動画領域２４３とが設けられている。部分動画領域２４３には、再生する動画ファイルの再生を開始するフレームを示すスタートフレームと、再生を終了するフレームを示すエンドフレームとが記憶されるように構成されている。
【００４１】
以上の構成に係る本実施の形態において、動画撮影を行うに際しては、電源キー１０８をオンにした後カメラキー１０４を操作して動画撮影モードを設定する。すると、制御部２０はプログラムに従って、図５のフローチャートに示す処理を実行する。すなわち、撮像レンズ１１８によりＣＣＤ１１上に結像された被写体像を表示部１０２にスルー画像表示させる（ステップＳ１０１）。次に、決定キー１０６の操作が検出されたか否かを判断する（ステップＳ１０２）。検出されたならば、画像データを１フレーム分ずつ連続的に取り込んで（ステップＳ１０３）、圧縮処理し（ステップＳ１０４）、決定キー１０６の操作が再度検出されるまで（ステップＳ１０５）、ステップＳ１０３及びＳ１０４の処理を繰り返す。そして、決定キー１０６の操作が再度検出されたならば（ステップＳ１０５；ＹＥＳ）、複数の連続したフレームで構成される動画ファイルを動画メモリ２７０に日付をファイル名にして格納し（ステップＳ１０６）、リターンする
【００４２】
したがって、この図５に示したフローチャートに従った処理が複数回実行されることにより、動画メモリ２７０には、図３に示したように、任意の複数フレームからなり任意の時間長からなる動画ファイルがファイル名とともに複数記憶されることとなる。
【００４３】
図６は、ユーザーが、表示部１０２に表示されたメニュー画面から、「部分動画設定モード」を選択したときの制御部２０による部分動画設定処理の内容を示すフローチャートである。
【００４４】
制御部２０は「部分動画設定モード」が選択されたことに伴い、表示部１０２に再生時設定選択画面を表示させる（ステップＳ２０１）。ここで、再生時設定選択画面とは、部分動画を再生する際のトリガーとなる条件であって、本実施の形態においては「電源ＯＮ時」「着信時」「アラーム時」を表示させる。そして、この３個の再生時のいずれかが選択されるまで待機し（ステップＳ２０２）、いずれかが選択されたならば（ステップＳ２０２；ＹＥＳ）、当該再生時を部分動画データメモリ２４の再生時領域２４１に記憶させる（ステップＳ２０３）。
【００４５】
なお、このとき「アラーム時」が選択された場合には、引き続き入力されたアラーム時刻も再生時領域２４１に記憶させる（図４参照）。
【００４６】
次に、動画選択画面表示処理を行って、動画メモリ２７０の動画ファイル名領域２７２に記憶されている全ての動画ファイル名又はインデックス画像を表示部１０２に表示させる（ステップＳ２０４）。そして、全ての動画ファイル名からいずれかが選択されるまで待機し（ステップＳ２０５）、いずれかが選択されたならば（ステップＳ２０５；ＹＥＳ）、前記再生時を記憶させた再生時領域２４１に対応する動画ファイル名領域２４２に、選択された動画ファイル名を記憶させる（ステップＳ２０６）。
【００４７】
引き続き、選択されたファイル名の動画ファイルの再生を開始して動画を表示部１０２に表示させる（ステップＳ２０７）。しかる後に、本実施の形態において部分動画の始点を指示するためのキーであるテンキー１１３における「１」キーが操作されたか否かを判断する（ステップＳ２０７）。この間、ユーザは表示部１０２に再生表示されている動画を見ながら、所望のシーンが動画再生開始点となるまで待機する。そして、表示部１０２に所望の再生開始点画像が表示された時点で、「１」キーを操作するとステップＳ２０８の判断がＹＥＳとなり、「１」キーが操作された時点で表示部１０２に表示されていたフレームを示す情報（当該動画ファイルの何フレーム目等）を、対応する部分動画領域２４３にスタートフレームとして記憶させる（ステップＳ２０９）。
【００４８】
次に、本実施の形態において部分動画の終点を指示するためのキーであるテンキー１１３における「２」キーが操作されたか否かを判断する（ステップＳ２１０）。この間、ユーザは表示部１０２に再生表示されている動画を見ながら、所望のシーンが動画再生終了点となるまで待機する。そして、表示部１０２に所望の再生終了点画像が表示された時点で、「２」キーを操作するとステップＳ２１０の判断がＹＥＳとなり、「２」キーが操作された時点で表示部１０２に表示されていたフレームを示す情報を、部分動画領域２４３にエンドフレームとして記憶させる（ステップＳ２１１）。また、この時点で動画再生は不要となったことから、動画再生を終了させる（ステップＳ２１２）。
【００４９】
したがって、このフローに従った処理が複数回なされた場合には、図４に例示したように、再生時「電源ＯＮ時」「着信時」「アラーム時」毎に動画ファイル名と、その部分動画のスタートフレーム及びエンドフレームを示す情報が部分動画データメモリ２４に記憶されることとなる。
【００５０】
次に、本実施の形態における部分動画再生機能に関する動作について説明する。
制御部２０は、図７のフローチャートに示す処理を一定時間間隔で繰り返し実行する。すなわち、電源キー１０８の操作に伴って電源がオフからオンに変化したか否かを判断する（ステップＳ３０１）。電源がオフからオンに変化したならば、部分動画データメモリ２４の再生時領域２４１に「電源ＯＮ時」が記憶されているか否かを判断する（ステップＳ３０２）。記憶されている場合には、「電源ＯＮ時」のファイル名領域２４２に記憶されているファイル名が示す動画ファイルの、部分動画領域２４３に記憶されているスタートフレームからエンドフレームまでを動画メモリ２７０から読み出して、表示部１０２にて部分動画を再生する（ステップＳ３０３）。
【００５１】
また、着信があったか否かを判断する（ステップＳ３０４）。着信があったならば、部分動画データメモリ２４の再生時領域２４１に「着信時」が記憶されているか否かを判断する（ステップＳ３０５）。記憶されている場合には、「着信時」のファイル名領域２４２に記憶されているファイル名が示す動画ファイルの、部分動画領域２４３に記憶されているスタートフレームからエンドフレームまでを動画メモリ２７０から読み出して、表示部１０２にて部分動画を再生する（ステップＳ３０６）。
【００５２】
また、現在時刻が部分動画データメモリ２４の再生時領域２４１に記憶されているアラーム時刻となったか否かを判断する（ステップＳ３０７）。アラーム時刻となったならば、「アラーム時」のファイル名領域２４２に記憶されているファイル名が示す動画ファイルの、部分動画領域２４３に記憶されているスタートフレームからエンドフレームまでを動画メモリ２７０から読み出して、表示部１０２にて部分動画を再生する（ステップＳ３０８）。
【００５３】
よって、この実施の形態によれば、電源ＯＮ時、着信時、アラーム時において、所望の動画の所望部分を再生表示させることができる。
【００５４】
なお、本実施の形態においては、部分動画データメモリ２４の部分動画領域２４３に、再生する動画ファイルの再生を開始するフレームを示すスタートフレームと、再生を終了するフレームを示すエンドフレームとを記憶させるようにしたが、部分動画領域２４３を設けることなく、動画メモリ２７０に記憶されている動画ファイルにスタートフレームとエンドフレームを示すフラグ等の識別データを付し、この識別データ間のフレームを部分動画として再生するようにしてもよい。
【００５５】
図８は、ユーザーが再生（ＰＬＡＹ）モードに切り換えたときの制御部２０による再生モード処理の内容を示すフローチャートである。制御部２０は、動画メモリ２７０に記録されている所定の動画ファイル、例えばレコード番号２７１の値が最も小さい動画ファイルをＪＰＥＧ回路２６にて再生し表示部１０２に動画を表示させる（ステップＳ４０１）。引き続き、十字キー１０７の上部又は下部が押下されたか否かを判断し（ステップＳ４０２）、操作された場合にはステップＳ４０１に戻って、操作された方向に対応する次の動画ファイルを再生する。また、十字キー１０７が操作されない場合には、クリアキー１１０が操作されたか否かを判別する（ステップＳ４０３）。クリアキー１１０が操作された場合には、このとき表示部１０２に再生表示されている動画ファイルのファイル名が部分動画データメモリ２４に記憶されているか否かを判別する（ステップＳ４０４）。当該動画ファイルのファイル名が部分動画データメモリ２４に記憶されていない場合には、ステップＳ４０５及びステップＳ４０６の処理を行うことなく、ステップＳ４０７に進み、動画メモリ２７０から当該動画ファイルをファイル名とともに削除する。
【００５６】
しかし、当該動画ファイルのファイル名が部分動画データメモリ２４に記憶されている場合には、この動画ファイルを削除すると、前述した図７の部分動画再生処理において、部分動画を再生表示させることが不可能となる。したがって、この場合には警告報知処理を実行する（ステップＳ４０５）。ここで、警告報知処理とは、表示部１０２の再生表示されている画像の一部に「この動画は部分動画として登録されている画像です。削除すると部分動画の表示が不可能となります。」等の警告表示を行ったり、報知用スピーカ１２０から所定の警報音を発生させる等である。したがって、この警告報知処理によりユーザは、消去しようとした動画は部分動画再生時において表示される動画であって、これを削除すると、部分動画再生機能の発現が不可能となることを認識することができる。
【００５７】
そして、これを認識したユーザが再度のクリアキー１１０の操作を思いとどまると（ステップＳ４０６；ＮＯ）、リターンする。したがって、削除を指定された動画ファイルは削除されることなく、動画メモリ２７０に記録された状態に維持される。
【００５８】
他方、何らかの事情により、部分動画であっても動画メモリ２７０から削除したい場合には、ユーザは前記警告表示等を確認した上で再度クリアキー１１０を押下する。すると、ステップＳ４０６からステップＳ４０７に進み、削除指定された動画ファイルを動画メモリ２７０から削除する。
【００５９】
なお、実施の形態においては、部分動画の開始点であるスタートフレームと終了点であるエンドフレームとの双方をユーザが指定するようにしたが、いずれか一方を指定するようにしてもよい。スタートフレームのみを指定した場合には、スタートフレームから当該動画ファイルの最後までの部分動画、又はスタートフレームから所定時間（所定フレーム数）分の部分動画を再生し、エンドフレームのみを指定した場合には、当該動画ファイルの最初からエンドフレームまでの部分動画、又はエンドフレームの所定時間（所定フレーム数）前のフレームからエンドフレームまでの部分動画を再生するようにすればよい。この場合であっても、予め撮像記録された動画の最初から指定されたフレームまで、あるいは指定されたフレームから撮像記録された動画の最後までの所望のシーン及び時間長からなる部分動画の再生が可能となる。
【００６０】
また、実施の形態においては、動画の削除が指定された場合に警告報知処理を実行するようにしたが、部分動画再生時において表示される動画が再生動画として選択された場合、動画再生と同時に部分動画再生時において表示される動画である旨を表示、音声等で報知するようにしてもよい。
【００６１】
（第１の実施の形態の変形例）
図９は、本発明の第１の実施の形態の変形例において、表示部１０２に表示されたメニュー画面から、「部分動画設定モード」を選択したときの制御部２０による部分動画設定処理の内容を示すフローチャートである。このフローチャートにおいて、ステップＳ２０１〜ステップＳ２１２は、前述した図６のフローチャートと同様であり、その処理内容は前述した通りである。そして、この変形例においては、ステップＳ２１３のみが加えられている。このステップＳ２１３では、ステップＳ２０６で部分動画データメモリ２４に記憶させたファイル名に対応する動画メモリ２７０の動画ファイルに対し、その削除を禁止するプロテクト処理を実行し、該動画ファイルをプロテクト設定する。
【００６２】
図１０は、本発明の第１の実施の形態の変形例において、ユーザーが再生（ＰＬＡＹ）モードに切り換えたときの制御部２０による再生モード処理の内容を示すフローチャートである。制御部２０は、動画メモリ２７０に記録されている所定の動画ファイル、例えばレコード番号２７１の値が最も小さい動画ファイルをＪＰＥＧ回路２６にて再生し表示部１０２に動画を表示させる（ステップＳ５０１）。引き続き、十字キー１０７の上部又は下部が押下されたか否かを判断し（ステップＳ５０２）、操作された場合にはステップＳ５０１に戻って、操作された方向に対応する次の動画ファイルを再生する。また、十字キー１０７が操作されない場合には、クリアキー１１０が操作されたか否かを判別する（ステップＳ５０３）。クリアキー１１０が操作された場合には、このとき表示部１０２に再生表示されている動画ファイルがプロテクト設定されているか否かを判別する（ステップＳ５０４）。プロテクト設定されていない場合には、動画メモリ２７０から当該動画ファイルをファイル名とともに削除する（ステップＳ５０５）。
【００６３】
しかし、ステップＳ５０４での判断の結果、当該動画ファイルがプロテクト設定されている場合には、ステップＳ５０５での処理を行うことなくリターンする。すなわち、部分動画データメモリ２４に記憶されている場合には、この動画ファイルを削除すると、前述した図７の部分動画再生処理において、部分動画を再生表示させることが不可能となる。したがって、この場合にはリターンし、削除を指定された動画ファイルは削除されることなく、動画メモリ２７０に記録された状態に維持される。
【００６４】
（第２の実施の形態）
図１１は、本発明の第２の実施の形態における部分動画再生処理を処理内容を示すフローチャートである。制御部２０は、このフローチャートに示す処理を一定時間間隔で繰り返し実行する。すなわち、電源キー１０８の操作に伴って電源がオフからオンに変化したか否かを判断する（ステップＳ６０１）。電源がオフからオンに変化したならば、部分動画データメモリ２４の再生時領域２４１に「電源ＯＮ時」が記憶されているか否かを判断する（ステップＳ６０２）。記憶されている場合には、「電源ＯＮ時」のファイル名領域２４２に記憶されているファイル名が示す動画ファイルの、部分動画領域２４３に記憶されているスタートフレームからエンドフレームまでを動画メモリ２７０から読み出して、制御部２０が有するＣＰＵの作業用メモリである前記ＲＡＭにコピーする（ステップＳ６０３）。そして、このコピーした部分動画を再生する（ステップＳ６０４）。
【００６５】
また、着信があったか否かを判断する（ステップＳ６０５）。着信があったならば、部分動画データメモリ２４の再生時領域２４１に「着信時」が記憶されているか否かを判断する（ステップＳ６０６）。記憶されている場合には、「着信時」のファイル名領域２４２に記憶されているファイル名が示す動画ファイルの、部分動画領域２４３に記憶されているスタートフレームからエンドフレームまでを動画メモリ２７０から読み出して、前記ＲＡＭにコピーする（ステップＳ６０７）。そして、このコピーした部分動画を再生する（ステップＳ６０８）。
【００６６】
また、現在時刻が部分動画データメモリ２４の再生時領域２４１に記憶されているアラーム時刻となったか否かを判断する（ステップＳ６０９）。アラーム時刻となったならば、「アラーム時」のファイル名領域２４２に記憶されているファイル名が示す動画ファイルの、部分動画領域２４３に記憶されているスタートフレームからエンドフレームまでを動画メモリ２７０から読み出して、前記ＲＡＭにコピーする（ステップＳ６０７）。そして、このコピーした部分動画を再生する（ステップＳ６０８）。
【００６７】
よって、この実施の形態によっても同様に、電源ＯＮ時、着信時、アラーム時において、所望の動画の所望部分を再生表示させることができる。
【００６８】
（第３の実施の形態）
【００６９】
図１２は、本発明の第３の実施の形態における部分動画データメモリ２４の詳細を示す概念図である。この部分動画データメモリ２４には、当該部分動画を再生する時点を記憶する再生時領域２４１、再生する部分動画ファイルのファイル名を記憶する部分動画ファイル名領域２４４、及び再生する部分動画ファイルを記憶する部分動画ファイル領域２４５とが設けられている。
【００７０】
図１３は、本実施の形態においてユーザーが、表示部１０２に表示されたメニュー画面から、「部分動画設定モード」を選択したときの制御部２０による部分動画設定処理の内容を示すフローチャートである。
【００７１】
制御部２０は「部分動画設定モード」が選択されたことに伴い、表示部１０２に再生時設定選択画面を表示させる（ステップＳ７０１）。ここで、再生時設定選択画面とは、部分動画を再生する際のトリガーとなる条件であって、本実施の形態においては「電源ＯＮ時」「着信時」「アラーム時」を表示させる。そして、この３個の再生時のいずれかが選択されるまで待機し（ステップＳ７０２）、いずれかが選択されたならば（ステップＳ７０２；ＹＥＳ）、当該再生時を部分動画データメモリ２４の再生時領域２４１に記憶させる（ステップＳ７０３）。
【００７２】
なお、このとき「アラーム時」が選択された場合には、引き続き入力されたアラーム時刻も再生時領域２４１に記憶させる（図１２参照）。
【００７３】
次に、動画選択画面表示処理を行って、動画メモリ２７０の動画ファイル名領域２７２に記憶されている全ての動画ファイル名又はインデックス画像を表示部１０２に表示させる（ステップＳ７０４）。そして、全ての動画ファイル名からいずれかが選択されるまで待機し（ステップＳ７０５）、いずれかが選択されたならば（ステップＳ７０５；ＹＥＳ）、当該動画ファイル名に対応する動画ファイルの再生を開始して動画を表示部１０２に表示させる（ステップＳ７０６）。しかる後に、本実施の形態において部分動画の始点を指示するためのキーであるテンキー１１３における「１」キーが操作されたか否かを判断する（ステップＳ７０７）。この間、ユーザは表示部１０２に再生表示されている動画を見ながら、所望のシーンが部分画像再生開始点となるまで待機する。そして、表示部１０２に所望の再生開始点画像が表示された時点で、「１」キーを操作するとステップＳ７０７の判断がＹＥＳとなり、「１」キーが操作された時点で表示部１０２に表示されていたフレームをスタートフレームと決定し（ステップＳ７０８）、当該フレーム示す情報（当該動画ファイルの何フレーム目等）を前記ＲＡＭに記憶させる。
【００７４】
次に、本実施の形態において部分動画の終点を指示するためのキーであるテンキー１１３における「２」キーが操作されたか否かを判断する（ステップＳ７０９）。この間、ユーザは表示部１０２に再生表示されている動画を見ながら、所望のシーンが部分画像再生終了点となるまで待機する。そして、表示部１０２に所望の再生終了点画像が表示された時点で、「２」キーを操作するとステップＳ７１０の判断がＹＥＳとなり、「２」キーが操作された時点で表示部１０２に表示されていたフレームをエンドフレームと決定し（ステップＳ７１０）、当該フレーム示す情報（当該動画ファイルの何フレーム目等）を前記ＲＡＭに記憶させる。また、この時点で動画再生は不要となったことから、動画再生を終了させる（ステップＳ７１１）。
【００７５】
引き続き、今回選択された動画ファイルにおいて、前記ステップＳ７０８で決定したスタートフレームと前記ステップＳ７１０で決定したエンドフレーム間の部分動画をコピーして、当該部分動画からなる部分動画ファイルを作成する（ステップＳ７１２）。さらに、この作成した部分動画ファイルにファイル名を付し、ファイル名を対応する部分動画ファイル名領域２４４に記憶させるとともに、部分動画ファイルを部分動画ファイル領域２４５に記憶させる。
【００７６】
したがって、このフローに従った処理が複数回なされた場合には、図１２に例示したように、再生時「電源ＯＮ時」「着信時」「アラーム時」毎に部分動画ファイル名と、このファイル名により示される部分動画ファイルとが部分動画データメモリ２４に記憶されることとなる。
【００７７】
次に、本実施の形態における部分動画再生機能に関する動作について説明する。
制御部２０は、図１４のフローチャートに示す処理を一定時間間隔で繰り返し実行する。すなわち、電源キー１０８の操作に伴って電源がオフからオンに変化したか否かを判断する（ステップＳ８０１）。電源がオフからオンに変化したならば、部分動画データメモリ２４の再生時領域２４１に「電源ＯＮ時」が記憶されているか否かを判断する（ステップＳ８０２）。記憶されている場合には、「電源ＯＮ時」の部分動画ファイル名領域２４４に記憶されているファイル名であって、対応する部分動画ファイル領域２４５に記憶されている部分動画ファイルを再生して、表示部１０２にて部分動画を表示させる（ステップＳ８０３）。
【００７８】
また、着信があったか否かを判断する（ステップＳ８０４）。着信があったならば、部分動画データメモリ２４の再生時領域２４１に「着信時」が記憶されているか否かを判断する（ステップＳ８０５）。記憶されている場合には、「着信時」の部分動画ファイル名領域２４４に記憶されているファイル名であって、対応する部分動画ファイル領域２４５に記憶されている部分動画ファイルを再生して、表示部１０２にて部分動画を表示させる（ステップＳ８０６）。
【００７９】
また、現在時刻が部分動画データメモリ２４の再生時領域２４１に記憶されているアラーム時刻となったか否かを判断する（ステップＳ８０７）。アラーム時刻となったならば、「アラーム時」の部分動画ファイル名領域２４４に記憶されているファイル名であって、対応する部分動画ファイル領域２４５に記憶されている部分動画ファイルを再生して、表示部１０２にて部分動画を表示させる（ステップＳ８０６）。
【００８０】
つまり、本実施の形態においては、前述した第１及び第２の実施の形態とは異なり、動画メモリ２７０に記録されている動画ファイルに基づき部分動画再生を実行することなく、部分動画データメモリ２４に記憶された部分動画ファイルに基づき部分動画再生を実行する。したがって、ユーザが動画メモリ２７０に記録されているファイルを整理した際に、「電源ＯＮ時」「着信時」「アラーム時」に表示させる部分動画に対応する動画ファイルを削除しても、これに左右されることなく、「電源ＯＮ時」「着信時」「アラーム時」に所望のシーン及び時間長からなる部分動画の再生を確実に発現させることができる。
【００８１】
なお、この第３の実施の形態においても、部分動画の開始点であるスタートフレームと終了点であるエンドフレームとの双方をユーザが指定し、この間の部分動画からなる部分動画ファイルを作成して記憶させるようにしたが、いずれか一方を指定するようにしてもよい。スタートフレームのみを指定した場合には、スタートフレームから当該動画ファイルの最後までの部分動画ファイル、又はスタートフレームから所定時間（所定フレーム数）分の部分動画ファイルを作成し、エンドフレームのみを指定した場合には、当該動画ファイルの最初からエンドフレームまでの部分動画ファイル、又はエンドフレームの所定時間（所定フレーム数）前のフレームからエンドフレームまでの部分動画ファイルを作成するようにすればよい。この場合であっても、予め撮像記録された動画の最初から指定されたフレームまで、あるいは指定されたフレームから撮像記録された動画の最後までの所望のシーン及び時間長からなる部分動画の再生が可能となる。
【００８２】
また、実施の形態においては、動画を再生し再生中におけるキー操作によりスタートフレームやエンドフレームを指定するようにしたが、十字キー１０７の操作に応じて、動画フレームを一枚ずつスクロール表示し、所望のフレームが表示された時点での決定キー１０６の操作により、スタートフレームやエンドフレームを指定するようにしてもよい。このうようにすれば、ユーザは各フレームを確実に視認することができ、所望のスタートフレームやエンドフレームを指定する際の操作が容易となり、確実に所望のスタートフレームやエンドフレームを指定することが可能となる。
【００８３】
また、本発明を動画撮像機能を有する携帯電話に適用した場合を示したが、これに限ることなく動画撮像機能を備えたデジタルカメラ、デジタルビデオカメラ、カメラ付きＰＤＡ等の他の装置にも採用することができる。また、実施の形態においては、特定動作時として「電源ＯＮ時」「着信時」「アラーム時」を示したが、これらの場合に限ることなく他の動作時において動画を再生表示する場合にも適用することができる。
【図面の簡単な説明】
【００８４】
【図１】本発明の各実施の形態に係る携帯電話の外観図である。
【図２】同実施の形態の実施の形態に係る携帯電話の電気的構成の概略を示すブロック図である。
【図３】動画メモリの詳細を示す概念図である。
【図４】第１の実施の形態における部分動画データメモリの詳細を示す概念図である。
【図５】動画撮影モード時の処理手順を示すフローチャートである。
【図６】部分動画設定処理の処理手順を示すフローチャートである。
【図７】部分動画再生処理の処理手順を示すフローチャートである。
【図８】再生モード時の処理手順を示すフローチャートである。
【図９】本発明の第１の実施の形態の変形例における部分動画設定モードの処理手順を示すフローチャートである。
【図１０】同変形例における再生モードの処理手順を示すフローチャートである。
【図１１】本発明の第２の実施の形態における部分動画再生処理の処理手順を示すフローチャートである。
【図１２】本発明の第３の実施の形態における部分動画データメモリの詳細を示す概念図である。
【図１３】同実施の形態における部分動画設定モードの処理手順を示すフローチャートである。
【図１４】同実施の形態における部分動画再生処理の処理手順を示すフローチャートである。
【符号の説明】
【００８５】
１    携帯電話
２０    制御部
２４    部分動画データメモリ
２５    キー入力部
２６    ＪＰＥＧ回路
２７    フラッシュメモリ
３３    無線部
１０２    表示部
１０３    アンテナ
１０４    カメラキー
１０５    メールキー
１０６    決定キー
１０７    十字キー
１０８    電源キー
１１０    クリアキー
１１１    オンフックキー
１１２    オフフックキー
１１３    テンキー
１１８    撮像レンズ
１２０    報知用スピーカ
２４１    再生時領域
２４２    ファイル名領域
２４２    動画ファイル名領域
２４３    部分動画領域
２４４    部分動画ファイル名領域
２４５    部分動画ファイル領域
２７０    動画メモリ
２７１    レコード番号
２７２    動画ファイル名領域
２７３    動画ファイル領域
【図１】
2005244673.tif 000003
【図２】
2005244673.tif 000004
【図３】
2005244673.tif 000005
【図４】
2005244673.tif 000006
【図５】
2005244673.tif 000007
【図６】
2005244673.tif 000008
【図７】
2005244673.tif 000009
【図８】
2005244673.tif 000010
【図９】
2005244673.tif 000011
【図１０】
2005244673.tif 000012
【図１１】
2005244673.tif 000013
【図１２】
2005244673.tif 000014
【図１３】
2005244673.tif 000015
【図１４】
2005244673.tif 000016